(57)【特許請求の範囲】
【請求項１】
含浸後の素子と封止ゴムとアルミケースとを組み立ててコンデンサ半製品を作製する組立部分と、コンデンサ半製品と熱収縮性チューブとを組み立ててコンデンサ製品を製造する熱収縮性チューブ外装部分とを含み、
前記組立部分内に規制モールドディスクが設けられ、規制モールドディスクの周方向に複数の規制モールドが設けられ、規制モールドディスクが回転するごとに、規制モールドディスクの規制モールドは１つの作業位置分だけ回転し、素子と封止ゴムとアルミケースとを組み立てて得たコンデンサ半製品が規制モールドディスクの規制モールドに配置され、
前記熱収縮性チューブ外装部分は、半製品移送装置と、外装挟持組立ディスクと、洗浄装置と、乾燥装置と、外装装置と、加熱装置と、受取装置とを含み、
前記外装挟持組立ディスクの周方向に複数の外装挟持組立位置が設けられ、外装挟持組立ディスクが回転するごとに、外装挟持組立ディスクの外装挟持組立位置は１つの作業位置分だけ回転し、前記半製品移送装置と、前記洗浄装置と、前記乾燥装置と、前記外装装置と、前記加熱装置とは外装挟持組立ディスクの回転方向において、外装挟持組立ディスクの側部に順に設けられ、半製品移送装置が規制モールドディスクの規制モールド内のコンデンサ半製品を外装挟持組立ディスクの外装挟持組立位置に移送すると、外装挟持組立ディスクが回転して外装挟持組立位置のコンデンサ半製品を順に洗浄装置、乾燥装置、外装装置及び加熱装置に持ち込み、洗浄、乾燥、熱収縮性チューブの外装及び加熱を行い、前記受取装置は、外装挟持組立ディスク上の前記加熱装置により加熱されたコンデンサ製品を収集することを特徴とするコンデンサを製造する組立外装複合機。
【請求項２】
前記半製品移送装置は、半製品取得機構と、半製品取得機構を駆動して昇降移動させる駆動構造とを含み、前記規制モールドディスクの規制モールドが半製品移送装置まで回転する時、半製品移送装置の半製品取得機構は下降して規制モールド内のコンデンサ半製品を挟持して上昇することによって、コンデンサ半製品を外装挟持組立ディスクの外装挟持組立位置に移動させると、外装挟持組立ディスクの外装挟持組立位置において、半製品移送装置により移送されたコンデンサ半製品を取り上げることを特徴とする請求項１に記載のコンデンサを製造する組立外装複合機。
【請求項３】
前記半製品取得機構は、挟持具を含み、前記挟持具は、互いに協働してコンデンサ半製品を挟持する固定クランプと可動クランプとを含み、可動クランプが回転駆動構造により駆動されて回転移動することにより、挟持具はコンデンサ半製品を締め付けるか、又は解放することを特徴とする請求項２に記載のコンデンサを製造する組立外装複合機。
【請求項４】
前記外装挟持組立ディスクの外装挟持組立位置のコンデンサ半製品が前記洗浄装置、前記乾燥装置又は前記加熱装置まで回転する時、洗浄装置、乾燥装置又は加熱装置は上昇してコンデンサ半製品に対して洗浄、乾燥又は加熱操作を行ってから下降して復帰することを特徴とする請求項１に記載のコンデンサを製造する組立外装複合機。
【請求項５】
前記外装装置は、熱収縮性チューブ被覆針と、熱収縮性チューブ推進装置とを含み、コンデンサ半製品に外装される熱収縮性チューブは事前に前記熱収縮性チューブ被覆針に嵌まり、前記外装挟持組立位置のコンデンサ半製品が熱収縮性チューブ被覆針の上方まで持ち込まれる時、熱収縮性チューブ推進装置は熱収縮性チューブ被覆針に嵌められた熱収縮性チューブを押し上げて熱収縮性チューブをコンデンサ半製品に外装することを特徴とする請求項１に記載のコンデンサを製造する組立外装複合機。
【請求項６】
前記外装装置が外装ディスクをさらに含み、前記熱収縮性チューブ被覆針が外装ディスクの周方向に複数設けられ、外装ディスクが回転するごとに、その上の熱収縮性チューブ被覆針は１つの作業位置分だけ回転することを特徴とする請求項５に記載のコンデンサを製造する組立外装複合機。
【請求項７】
前記組立部分内には、アルミケース輸送装置と、素子組立装置と、加締め封口装置とがさらに設けられ、前記アルミケース輸送装置はアルミケースを規制モールドディスクの規制モールドに輸送し、前記素子組立装置は封止ゴムを組み付けた含浸素子を前記規制モールド内のアルミケースに入れ、前記加締め封口装置はアルミケースに入れられた封止ゴムを組み付けた含浸素子に対して加締め、封口を行ってコンデンサ半製品を得ることを特徴とする請求項１に記載のコンデンサを製造する組立外装複合機。
【請求項８】
前記組立部分は、素子封止ゴム組立部分と、アルミケース外装部分とを含み、
前記素子封止ゴム組立部分内に封止ゴム挟持組立ディスクが設けられ、封止ゴム挟持組立ディスクの周方向に複数の封止ゴム挟持組立位置が設けられ、封止ゴム挟持組立ディスクが回転するごとに、封止ゴム挟持組立ディスクの封止ゴム挟持組立位置は１つの作業位置分だけ回転し、封止ゴム輸送装置により封止ゴムを封止ゴム挟持組立ディスクの封止ゴム挟持組立位置に輸送し、素子移送装置により含浸後の素子のピンを前記封止ゴム挟持具内の封止ゴムの孔に挿通し、
前記アルミケース外装部分は、前記規制モールドディスクと、アルミケース輸送装置と、素子組立装置と、加締め封口装置とを含み、前記アルミケース輸送装置はアルミケースを規制モールドディスクの規制モールドに輸送し、前記素子組立装置は前記封止ゴム挟持組立ディスクの封止ゴム挟持組立位置内の封止ゴムを組み付けた素子を前記規制モールド内のアルミケースに入れ、前記加締め封口装置はアルミケースに入れられた封止ゴムを組み付けた素子に対して加締め、封口を行ってコンデンサ半製品を得ることを特徴とする請求項１に記載のコンデンサを製造する組立外装複合機。
【請求項９】
前記洗浄装置は、洗浄槽と、洗浄カップと、洗浄液管とを含み、前記洗浄カップが洗浄槽内に回転可能に設けられ、前記洗浄液管は洗浄カップに洗浄液を供給し、前記洗浄カップの内壁に刷毛が設けられ、前記洗浄カップが回転するとその内壁上の刷毛は前記コンデンサ半製品を洗浄することを特徴とする請求項１に記載のコンデンサを製造する組立外装複合機。
【請求項１０】
前記洗浄装置が洗浄液を濾過する濾過循環装置をさらに含み、前記洗浄カップの底部に孔が設けられ、前記孔は前記濾過循環装置の液体供給管に連通し、前記濾過循環装置の液体排出管は前記洗浄液管に連通することを特徴とする請求項９に記載のコンデンサを製造する組立外装複合機。
【発明の詳細な説明】
【技術分野】
【０００１】
本発明は、コンデンサ製造設備の分野に関し、より詳しくは、コンデンサを製造する組立外装複合機に関する。
【背景技術】
【０００２】
コンデンサを製造する際に、従来の設備を用いる場合は、巻き取られた素子を関連装置で収集し、手作業で素子を含浸機に入れて含浸する作業を繰り返し、含浸後の素子をまた手作業で組立機の素子振動ディスクに入れて、組立と封口を行うことにより半製品を作製し、続いて外装機の半製品振動ディスクに入れて外装を行っていた。しかしながら、組立機と外装機が別々に設置され、両者の間で半製品を移送する作業も手作業で行われるため、製造する過程では作業員が頻繁に移動する必要があり、これに伴い製造効率が低下し、製造期間が延長して、コスト増の問題をもたらしている。また、組立工程及び外装工程を行う設備が別々に設置されているため、組立及び外装設備を設置するために大きな空間が必要となる。
【発明の概要】
【発明が解決しようとする課題】
【０００３】
本発明の目的とするところは、コンデンサを製造する組立外装複合機を提供することにある。
【課題を解決するための手段】
【０００４】
上記目的を達成するためになされた本発明は、コンデンサを製造する組立外装複合機を提供する。当該複合機は、含浸後の素子と封止ゴムとアルミケースとを組み立ててコンデンサ半製品を作製する組立部分と、コンデンサ半製品と熱収縮性チューブとを組み立ててコンデンサ製品を製造する熱収縮性チューブ外装部分とを含み、
前記組立部分内に規制モールドディスクが設けられ、規制モールドディスクの周方向に複数の規制モールドが設けられ、規制モールドディスクが回転するごとに、規制モールドディスクの規制モールドは１つの作業位置分だけ回転し、素子と封止ゴムとアルミケースとを組み立てて得たコンデンサ半製品が規制モールドディスクの規制モールドに配置され、
前記熱収縮性チューブ外装部分は、半製品移送装置と、外装挟持組立ディスクと、洗浄装置と、乾燥装置と、外装装置と、加熱装置と、受取装置とを含み、
前記外装挟持組立ディスクの周方向に複数の外装挟持組立位置が設けられ、外装挟持組立ディスクが回転するごとに、外装挟持組立ディスクの外装挟持組立位置は１つの作業位置分だけ回転し、前記半製品移送装置と、前記洗浄装置と、前記乾燥装置と、前記外装装置と、前記加熱装置とは、外装挟持組立ディスクの回転方向において、外装挟持組立ディスクの側部に順に設けられ、半製品移送装置が規制モールドディスクの規制モールド内のコンデンサ半製品を外装挟持組立ディスクの外装挟持組立位置に移送すると、外装挟持組立ディスクが回転して外装挟持組立位置のコンデンサ半製品を順に洗浄装置、乾燥装置、外装装置及び加熱装置に持ち込み、洗浄、乾燥、熱収縮性チューブの外装及び加熱を行い、前記受取装置は外装挟持組立ディスク上の前記加熱装置により加熱されたコンデンサ製品を収集する。
【０００５】
さらに、前記半製品移送装置は、半製品取得機構と、半製品取得機構を駆動して昇降移動させる駆動構造とを含み、前記規制モールドディスクの規制モールドが半製品移送装置まで回転する時、半製品移送装置の半製品取得機構は下降して規制モールド内のコンデンサ半製品を挟持して上昇することによって、コンデンサ半製品を外装挟持組立ディスクの外装挟持組立位置に移動させると、外装挟持組立ディスクの外装挟持組立位置は半製品移送装置により移送されたコンデンサ半製品を取り上げる。
【０００６】
前記半製品取得機構は、挟持具を含み、前記挟持具は、互いに協働してコンデンサ半製品を挟持する固定クランプと可動クランプとを含み、可動クランプは回転駆動構造により駆動されて回転移動することにより、挟持具はコンデンサ半製品を締め付けるか、又は解放する。
【０００７】
前記外装挟持組立ディスクの外装挟持組立位置のコンデンサ半製品が前記洗浄装置、前記乾燥装置又は前記加熱装置まで回転する時、洗浄装置、乾燥装置又は加熱装置は上昇してコンデンサ半製品に対して洗浄、乾燥又は加熱操作を行ってから下降して復帰する。
【０００８】
前記外装装置は、熱収縮性チューブ被覆針と、熱収縮性チューブ推進装置とを含み、コンデンサ半製品に外装される熱収縮性チューブは事前に前記熱収縮性チューブ被覆針に嵌まり、前記外装挟持組立位置のコンデンサ半製品が熱収縮性チューブ被覆針の上方まで持ち込まれる時、熱収縮性チューブ推進装置は熱収縮性チューブ被覆針に嵌められた熱収縮性チューブを押し上げて熱収縮性チューブをコンデンサ半製品に外装する。
【０００９】
前記外装装置は、外装ディスクをさらに含み、前記熱収縮性チューブ被覆針は外装ディスクの周方向に複数設けられ、外装ディスクが回転するごとに、その上の熱収縮性チューブ被覆針は１つの作業位置分だけ回転する。
【００１０】
前記組立部分内には、アルミケース輸送装置と、素子組立装置と、加締め封口装置とがさらに設けられ、前記アルミケース輸送装置はアルミケースを規制モールドディスクの規制モールドに輸送し、前記素子組立装置は封止ゴムを組み付けた含浸素子を前記規制モールド内のアルミケースに入れ、前記加締め封口装置はアルミケースに入れられた封止ゴムを組み付けた含浸素子に対して加締め、封口を行ってコンデンサ半製品を得る。
【００１１】
前記組立部分は、素子封止ゴム組立部分と、アルミケース外装部分とを含む。
前記素子封止ゴム組立部分内に封止ゴム挟持組立ディスクが設けられ、封止ゴム挟持組立ディスクの周方向に複数の封止ゴム挟持組立位置が設けられ、封止ゴム挟持組立ディスクが回転するごとに、封止ゴム挟持組立ディスクの封止ゴム挟持組立位置は１つの作業位置分だけ回転し、封止ゴム輸送装置により封止ゴムを封止ゴム挟持組立ディスクの封止ゴム挟持組立位置に輸送し、素子移送装置により含浸後の素子のピンを前記封止ゴム挟持具内の封止ゴムの孔に挿通し、
前記アルミケース外装部分は前記規制モールドディスクと、アルミケース輸送装置と、素子組立装置と、加締め封口装置とを含み、前記アルミケース輸送装置はアルミケースを規制モールドディスクの規制モールドに輸送し、前記素子組立装置は前記封止ゴム挟持組立ディスクの封止ゴム挟持組立位置内の封止ゴムを組み付けた素子を前記規制モールド内のアルミケースに入れ、前記加締め封口装置はアルミケースに入れられた封止ゴムを組み付けた素子に対して加締め、封口を行ってコンデンサ半製品を得る。
【００１２】
前記洗浄装置は、洗浄槽と、洗浄カップと、洗浄液管とを含み、前記洗浄カップが洗浄槽内に回転可能に設けられ、前記洗浄液管は洗浄カップに洗浄液を供給し、前記洗浄カップの内壁に刷毛が設けられ、前記洗浄カップが回転するとその内壁上の刷毛は前記コンデンサ半製品を洗浄する。
【００１３】
前記洗浄装置は、洗浄液を濾過する濾過循環装置をさらに含み、前記洗浄カップの底部に孔が設けられ、前記孔は前記濾過循環装置の液体供給管に連通し、前記濾過循環装置の液体排出管は前記洗浄液管に連通する。
【発明の効果】
【００１４】
本発明に係るコンデンサを製造する組立外装複合機は、含浸後の素子と封止ゴムとアルミケースとを組み立ててコンデンサ半製品を作製し、コンデンサ半製品と熱収縮性チューブとを組み立ててコンデンサ製品を製造することができる。プロセス全体において、自動化された操作を実現している。
【００１５】
本発明に係るコンデンサを製造する組立外装複合機は、構造がコンパクトであり、製造設備を設置するために小さい空間だけを要し、操作しやすく、製造の中間手順を減らし、製造効率と製品の質を向上させることができる。
【図面の簡単な説明】
【００１６】
【図１】本発明によるコンデンサを製造する組立外装複合機の全体構造を概略的に示す図その１である。
【図２】本発明によるコンデンサを製造する組立外装複合機の全体構造を概略的に示す図その２である。
【発明を実施するための形態】
【００１７】
以下、本発明の実施形態に係る装置を、各図を参照しながら明瞭且つ完全に説明する。なお、説明される実施形態は本発明の実施形態の一部に過ぎず、その全てではない。当業者が明細書で説明されるこれらの実施形態に基づき、進歩的な作業を行うことなく得ているその他の実施形態は、いずれも本発明の保護範囲に含まれるものとする。
【００１８】
図１及び図２に示すように、コンデンサを製造する組立外装複合機は、含浸後の素子と封止ゴムとアルミケースとを組み立ててコンデンサ半製品を作製する組立部分と、コンデンサ半製品と熱収縮性チューブとを組み立ててコンデンサ製品を製造する熱収縮性チューブ外装部分とを含む。
【００１９】
前記組立部分は、素子封止ゴム組立部分と、アルミケース外装部分とを含む。
【００２０】
前記素子封止ゴム組立部分は、封止ゴム輸送装置２と、封止ゴム挟持組立ディスク４と、素子移送装置３とを含む。封止ゴム挟持組立ディスク４の周方向に複数の封止ゴム挟持組立位置が設けられ、封止ゴム挟持組立ディスク４が回転するごとに、封止ゴム挟持組立ディスク４の封止ゴム挟持組立位置は１つの作業位置分だけ回転し、封止ゴム輸送装置２により封止ゴムを封止ゴム挟持組立ディスク４の封止ゴム挟持組立位置に輸送し、素子移送装置３により含浸後の素子のピンを前記封止ゴム挟持具内の封止ゴムの孔に挿通する。
【００２１】
封止ゴム輸送装置２は、封止ゴム振動ディスク１と、封止ゴム搬送構造と、封止ゴムの孔選択構造と、封止ゴム導入構造とを含む。封止ゴム搬送構造は封止ゴム振動ディスク１から送り出される封止ゴムを封止ゴムの孔選択構造に輸送し、封止ゴムの孔選択構造は所定の孔径仕様に合致する封止ゴムを選択して封止ゴム導入構造に輸送し、封止ゴム導入構造は輸送された封止ゴムを封止ゴム挟持組立ディスク４の封止ゴム挟持組立位置に入れる。
【００２２】
前記素子封止ゴム組立部分は、封止ゴム検出装置と、ズレ補正リード線穿設装置５と、不良素子除去装置とをさらに含む。封止ゴム検出装置は、封止ゴム挟持組立ディスク４の封止ゴム挟持組立位置に封止ゴムがあるか否か、封止ゴムの位置を検出し、封止ゴム挟持組立ディスク４の封止ゴム挟持組立位置に封止ゴムがあり、且つ封止ゴムの位置が正常であることを検出する場合、素子移送装置３は含浸後の素子のピンを前記封止ゴム挟持具内の封止ゴムの孔に挿通する。ズレ補正リード線穿設装置５は、封止ゴム挟持組立位置における封止ゴムの孔に挿通した素子においてリード線を孔に穿設して、素子のピンと封止ゴムとを緊密に結合させる。前記不良素子除去装置は不良素子や封止ゴム組立体を封止ゴム挟持組立ディスク４の封止ゴム挟持組立位置から除去する。
【００２３】
アルミケース外装部分は、規制モールドディスク８と、アルミケース輸送装置２２と、素子組立装置と、加締め封口装置とを含む。規制モールドディスク８の周方向に複数の規制モールド９が設けられ、規制モールドディスク８が回転するごとに、規制モールドディスク８の規制モールド９は１つの作業位置分だけ回転し、アルミケース輸送装置２２はアルミケースを規制モールドディスク８の規制モールドに輸送し、素子組立装置は封止ゴム挟持組立ディスク４の封止ゴム挟持組立位置内の封止ゴムを組み付けた素子を前記規制モールド内のアルミケースに入れ、加締め封口装置はアルミケースに入れられた封止ゴムを組み付けた素子に対して加締め、封口を行ってコンデンサ半製品を得る。
【００２４】
前記素子組立装置は、組立ロッド構造６と、組立モールド７とを含む。組立ロッド構造６は前記封止ゴム挟持組立位置内の封止ゴムを組み付けた素子を組立モールド７によって前記規制モールド内のアルミケースに入れる。アルミケース輸送装置２２はアルミケース振動ディスク１７にドッキングして、アルミケース振動ディスク１７から送り出されるアルミケースを規制モールドディスク８の規制モールドに輸送する。
【００２５】
前記加締め封口装置は、予備封止加締め装置１８と、封口装置１９とを含む。予備封止加締め装置１８はアルミケースに封止ゴムを組み付けた素子に対して封止ゴムの中間部分に溝を開け、アルミケースの縁部に対して予備封止を行う。封口装置１９は予備封止された製品に対して最終的な封口を行う。
【００２６】
前記熱収縮性チューブ外装部分は、半製品移送装置１０と、外装挟持組立ディスク１１と、洗浄装置２０と、乾燥装置２１と、外装装置１３と、加熱装置１４と、受取装置１５とを含む。
【００２７】
外装挟持組立ディスク１１の周方向に複数の外装挟持組立位置が設けられ、外装挟持組立ディスク１１が回転するごとに、外装挟持組立ディスク１１の外装挟持組立位置は１つの作業位置分だけ回転し、半製品移送装置１０と、洗浄装置２０と、乾燥装置２１と、外装装置１３と、加熱装置１４とは外装挟持組立ディスク１１の回転方向において、外装挟持組立ディスク１１の側部に順に設けられ、半製品移送装置１０は規制モールドディスク８の規制モールド内のコンデンサ半製品を外装挟持組立ディスク１１の外装挟持組立位置に移送し、外装挟持組立ディスク１１は回転して外装挟持組立位置のコンデンサ半製品を順に洗浄装置２０、乾燥装置２１、外装装置１３、加熱装置１４に持ち込み、洗浄、乾燥、熱収縮性チューブの外装及び加熱を行い、受取装置１５は外装挟持組立ディスク１１上の加熱装置１４により加熱されたコンデンサ製品を収集する。
【００２８】
外装挟持組立ディスク１１の外装挟持組立位置のコンデンサ半製品が洗浄装置２０、乾燥装置２１又は加熱装置１４まで回転する時、洗浄装置２０、乾燥装置２１又は加熱装置１４は上昇してコンデンサ半製品に対して洗浄、乾燥又は加熱操作を行ってから下降して復帰する。
【００２９】
半製品移送装置１０は、半製品取得機構と、半製品取得機構を駆動して昇降移動させる駆動構造と含む。規制モールドディスク８の規制モールドが半製品移送装置１０まで回転する時、半製品移送装置１０の半製品取得機構が下降して規制モールド内のコンデンサ半製品を挟持して上昇することによって、コンデンサ半製品を外装挟持組立ディスク１１の外装挟持組立位置に移動させると、外装挟持組立ディスク１１の外装挟持組立位置において、半製品移送装置１０により移送されたコンデンサ半製品を取り上げる。前記半製品取得機構は挟持具を含み、挟持具は互いに協働してコンデンサ半製品を挟持する固定クランプと、可動クランプとを含み、可動クランプは回転駆動構造により駆動されて回転移動することにより、挟持具はコンデンサ半製品を締め付けるか、又は解放する。
【００３０】
洗浄装置２０は、洗浄槽と、洗浄カップと、洗浄液管とを含む。前記洗浄カップが洗浄槽内に回転可能に設けられ、前記洗浄液管は洗浄カップに洗浄液を供給し、前記洗浄カップの内壁に刷毛が設けられ、洗浄カップが回転するとその内壁上の刷毛は前記コンデンサ半製品を洗浄する。さらに、洗浄装置２０は、洗浄液を濾過する濾過循環装置を含み、前記洗浄カップの底部に孔が設けられ、前記孔は前記濾過循環装置の液体供給管に連通し、前記濾過循環装置の液体排出管は前記洗浄液管に連通する。
【００３１】
外装装置１３は、熱収縮性チューブ被覆針と、熱収縮性チューブ推進装置とを含む。コンデンサ半製品に外装される熱収縮性チューブは事前に前記熱収縮性チューブ被覆針に嵌まり、前記外装挟持組立位置のコンデンサ半製品が熱収縮性チューブ被覆針の上方まで持ち込まれる時、熱収縮性チューブ推進装置は熱収縮性チューブ被覆針に嵌められた熱収縮性チューブを押し上げて熱収縮性チューブをコンデンサ半製品に外装する。外装装置１３は外装ディスクをさらに含み、前記熱収縮性チューブ被覆針は外装ディスクの周方向に複数設けられ、外装ディスクが回転するごとに、その上の熱収縮性チューブ被覆針は１つの作業位置分だけ回転する。
【００３２】
前記熱収縮性チューブ推進装置は、昇降ロッドと、押さえ板とを含む。押さえ板は昇降ロッドに連動して上昇又は下降し、押さえ板は上昇する過程で前記熱収縮性チューブ被覆針に事前に嵌められた熱収縮性チューブの底部に上向きの推力を加えて、熱収縮性チューブをコンデンサ半製品に外装する。熱収縮性チューブをコンデンサ半製品に外装した後、昇降ロッドは押さえ板を連動して下降させて、押さえ板が復帰する。
【００３３】
前記熱収縮性チューブ外装部分は、熱収縮性チューブ輸送装置１２と、熱収縮性チューブ切断装置とをさらに含む。熱収縮性チューブ輸送装置１２は全長の熱収縮性チューブを前記熱収縮性チューブ被覆針に所定の長さで嵌め、熱収縮性チューブ切断装置は熱収縮性チューブ被覆針に嵌められた全長の熱収縮性チューブの部分を熱収縮性チューブから切断する。全長の熱収縮性チューブから切断されて熱収縮性チューブ被覆針に残った所定の長さの熱収縮性チューブは、すなわちコンデンサ半製品に外装される熱収縮性チューブである。
【００３４】
前記熱収縮性チューブ外装部分は、製品検出装置をさらに含み、前記製品検出装置は加熱装置１４により加熱されたコンデンサ製品が良品であるか否かを検出する。検出された良品及び不良品は、受取装置１５にドッキングして設けられた異なる搬送装置１６によって、良品ボックス及び不良品ボックスにそれぞれ輸送されると、製品の製造が完了する。
【００３５】
（付記）
（付記１）
含浸後の素子と封止ゴムとアルミケースとを組み立ててコンデンサ半製品を作製する組立部分と、コンデンサ半製品と熱収縮性チューブとを組み立ててコンデンサ製品を製造する熱収縮性チューブ外装部分とを含み、
前記組立部分内に規制モールドディスクが設けられ、規制モールドディスクの周方向に複数の規制モールドが設けられ、規制モールドディスクが回転するごとに、規制モールドディスクの規制モールドは１つの作業位置分だけ回転し、素子と封止ゴムとアルミケースとを組み立てて得たコンデンサ半製品が規制モールドディスクの規制モールドに配置され、
前記熱収縮性チューブ外装部分は、半製品移送装置と、外装挟持組立ディスクと、洗浄装置と、乾燥装置と、外装装置と、加熱装置と、受取装置とを含み、
前記外装挟持組立ディスクの周方向に複数の外装挟持組立位置が設けられ、外装挟持組立ディスクが回転するごとに、外装挟持組立ディスクの外装挟持組立位置は１つの作業位置分だけ回転し、前記半製品移送装置と、前記洗浄装置と、前記乾燥装置と、前記外装装置と、前記加熱装置とは外装挟持組立ディスクの回転方向において、外装挟持組立ディスクの側部に順に設けられ、半製品移送装置が規制モールドディスクの規制モールド内のコンデンサ半製品を外装挟持組立ディスクの外装挟持組立位置に移送すると、外装挟持組立ディスクが回転して外装挟持組立位置のコンデンサ半製品を順に洗浄装置、乾燥装置、外装装置及び加熱装置に持ち込み、洗浄、乾燥、熱収縮性チューブの外装及び加熱を行い、前記受取装置は、外装挟持組立ディスク上の前記加熱装置により加熱されたコンデンサ製品を収集することを特徴とするコンデンサを製造する組立外装複合機。
【００３６】
（付記２）
前記半製品移送装置は、半製品取得機構と、半製品取得機構を駆動して昇降移動させる駆動構造とを含み、前記規制モールドディスクの規制モールドが半製品移送装置まで回転する時、半製品移送装置の半製品取得機構は下降して規制モールド内のコンデンサ半製品を挟持して上昇することによって、コンデンサ半製品を外装挟持組立ディスクの外装挟持組立位置に移動させると、外装挟持組立ディスクの外装挟持組立位置において、半製品移送装置により移送されたコンデンサ半製品を取り上げることを特徴とする付記１に記載のコンデンサを製造する組立外装複合機。
【００３７】
（付記３）
前記半製品取得機構は、挟持具を含み、前記挟持具は、互いに協働してコンデンサ半製品を挟持する固定クランプと可動クランプとを含み、可動クランプが回転駆動構造により駆動されて回転移動することにより、挟持具はコンデンサ半製品を締め付けるか、又は解放することを特徴とする付記２に記載のコンデンサを製造する組立外装複合機。
【００３８】
（付記４）
前記外装挟持組立ディスクの外装挟持組立位置のコンデンサ半製品が前記洗浄装置、前記乾燥装置又は前記加熱装置まで回転する時、洗浄装置、乾燥装置又は加熱装置は上昇してコンデンサ半製品に対して洗浄、乾燥又は加熱操作を行ってから下降して復帰することを特徴とする付記１に記載のコンデンサを製造する組立外装複合機。
【００３９】
（付記５）
前記外装装置は、熱収縮性チューブ被覆針と、熱収縮性チューブ推進装置とを含み、コンデンサ半製品に外装される熱収縮性チューブは事前に前記熱収縮性チューブ被覆針に嵌まり、前記外装挟持組立位置のコンデンサ半製品が熱収縮性チューブ被覆針の上方まで持ち込まれる時、熱収縮性チューブ推進装置は熱収縮性チューブ被覆針に嵌められた熱収縮性チューブを押し上げて熱収縮性チューブをコンデンサ半製品に外装することを特徴とする付記１に記載のコンデンサを製造する組立外装複合機。
【００４０】
（付記６）
前記外装装置が外装ディスクをさらに含み、前記熱収縮性チューブ被覆針が外装ディスクの周方向に複数設けられ、外装ディスクが回転するごとに、その上の熱収縮性チューブ被覆針は１つの作業位置分だけ回転することを特徴とする付記５に記載のコンデンサを製造する組立外装複合機。
【００４１】
（付記７）
前記組立部分内には、アルミケース輸送装置と、素子組立装置と、加締め封口装置とがさらに設けられ、前記アルミケース輸送装置はアルミケースを規制モールドディスクの規制モールドに輸送し、前記素子組立装置は封止ゴムを組み付けた含浸素子を前記規制モールド内のアルミケースに入れ、前記加締め封口装置はアルミケースに入れられた封止ゴムを組み付けた含浸素子に対して加締め、封口を行ってコンデンサ半製品を得ることを特徴とする付記１に記載のコンデンサを製造する組立外装複合機。
【００４２】
（付記８）
前記組立部分は、素子封止ゴム組立部分と、アルミケース外装部分とを含み、
前記素子封止ゴム組立部分内に封止ゴム挟持組立ディスクが設けられ、封止ゴム挟持組立ディスクの周方向に複数の封止ゴム挟持組立位置が設けられ、封止ゴム挟持組立ディスクが回転するごとに、封止ゴム挟持組立ディスクの封止ゴム挟持組立位置は１つの作業位置分だけ回転し、封止ゴム輸送装置により封止ゴムを封止ゴム挟持組立ディスクの封止ゴム挟持組立位置に輸送し、素子移送装置により含浸後の素子のピンを前記封止ゴム挟持具内の封止ゴムの孔に挿通し、
前記アルミケース外装部分は、前記規制モールドディスクと、前記アルミケース輸送装置と、前記素子組立装置と、前記加締め封口装置とを含み、前記アルミケース輸送装置はアルミケースを規制モールドディスクの規制モールドに輸送し、前記素子組立装置は前記封止ゴム挟持組立ディスクの封止ゴム挟持組立位置内の封止ゴムを組み付けた素子を前記規制モールド内のアルミケースに入れ、前記加締め封口装置はアルミケースに入れられた封止ゴムを組み付けた素子に対して加締め、封口を行ってコンデンサ半製品を得ることを特徴とする付記１に記載のコンデンサを製造する組立外装複合機。
【００４３】
（付記９）
前記洗浄装置は、洗浄槽と、洗浄カップと、洗浄液管とを含み、前記洗浄カップが洗浄槽内に回転可能に設けられ、前記洗浄液管は洗浄カップに洗浄液を供給し、前記洗浄カップの内壁に刷毛が設けられ、前記洗浄カップが回転するとその内壁上の刷毛は前記コンデンサ半製品を洗浄することを特徴とする付記１に記載のコンデンサを製造する組立外装複合機。
【００４４】
（付記１０）
前記洗浄装置が洗浄液を濾過する濾過循環装置をさらに含み、前記洗浄カップの底部に孔が設けられ、前記孔は前記濾過循環装置の液体供給管に連通し、前記濾過循環装置の液体排出管は前記洗浄液管に連通することを特徴とする付記９に記載のコンデンサを製造する組立外装複合機。
【符号の説明】
【００４５】
１…封止ゴム振動ディスク、２…封止ゴム輸送装置、３…素子移送装置、４…封止ゴム挟持組立ディスク、５…ズレ補正リード線穿設装置、６…組立ロッド構造、７…組立モールド、８…規制モールドディスク、９…規制モールド、１０…半製品移送装置、１１…外装挟持組立ディスク、１２…熱収縮性チューブ輸送装置、１３…外装装置、１４…加熱装置、１５…受取装置、１６…搬送装置、１７…アルミケース振動ディスク、１８…予備封止加締め装置、１９…封口装置、２０…洗浄装置、２１…乾燥装置、２２…アルミケース輸送装置。
【図１】
0006805330.tif 000002
【図２】
0006805330.tif 000003